【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
表示装置への操作指示を行うリモートコントローラから、コンテンツの選択の際の選択部材の操作量と、前記コンテンツを識別する識別情報と、を含む操作情報を受信する受信手段と、
前記受信手段において受信された前記操作情報に含まれる前記操作量に基づいて、前記操作情報に含まれる前記識別情報で識別される前記コンテンツの出力属性を決定する決定手段と、
前記決定手段において決定された前記出力属性に応じて、前記コンテンツの出力画像を生成する出力画像生成手段と、
前記出力画像生成手段において生成された出力画像を表示する表示制御手段と、
を有することを特徴とする表示装置。
【請求項２】
前記決定手段は、前記受信手段において受信された前記操作情報に含まれる前記操作量に基づいて、前記操作情報に含まれる前記識別情報で識別される前記コンテンツの透過度を出力属性として決定し、
前記出力画像生成手段は、前記決定手段において決定された前記透過度に応じて、前記コンテンツの出力画像を生成することを特徴とする請求項１に記載の表示装置。
【請求項３】
前記決定手段は、前記受信手段において受信された前記操作情報に含まれる前記操作量に基づいて、前記操作情報に含まれる前記識別情報で識別される前記コンテンツの表示サイズを出力属性として決定し、
前記出力画像生成手段は、前記決定手段において決定された前記表示サイズに応じて、前記コンテンツの出力画像を生成することを特徴とする請求項１に記載の表示装置。
【請求項４】
前記決定手段は、前記受信手段において受信された前記操作情報に含まれる前記操作量に基づいて、前記操作情報に含まれる前記識別情報で識別される前記コンテンツの表示位置を出力属性として決定し、
前記出力画像生成手段は、前記決定手段において決定された前記表示位置に応じて、前記コンテンツの出力画像を生成することを特徴とする請求項１に記載の表示装置。
【請求項５】
前記決定手段において決定された前記出力属性に応じて、前記コンテンツに関する出力音声を生成する出力音声生成手段と、
前記出力音声生成手段において生成された音声を出力する音声出力手段と、
を更に有することを特徴とする請求項１乃至４の何れか１項に記載の表示装置。
【請求項６】
前記操作量とは、前記選択部材に対する圧力、又は押し込み段数、又は押下時間であることを特徴とする請求項１に記載の表示装置。
【請求項７】
前記表示制御手段は、視聴中のコンテンツの表示画面上に重ねて前記出力画像生成手段において生成された出力画像を表示するよう背御することを特徴とする請求項１に記載の表示装置。
【請求項８】
表示装置への操作指示を行うリモートコントローラであって、
ユーザが操作した選択部材に基づいて、前記表示装置において表示されているコンテンツの中から、コンテンツを選択するコンテンツ選択手段と、
前記選択部材の操作量を検出する操作量検出手段と、
前記操作量検出手段において検出された操作量と、前記コンテンツ選択手段において選択されたコンテンツを識別する識別情報と、を含む操作情報を前記表示装置へ送信する送信手段と、
を有することを特徴とするリモートコントローラ。
【請求項９】
表示装置が実行する表示制御方法であって、
表示装置への操作指示を行うリモートコントローラから、コンテンツの選択の際の選択部材の操作量と、前記コンテンツを識別する識別情報と、を含む操作情報を受信する受信ステップと、
前記受信ステップにおいて受信された前記操作情報に含まれる前記操作量に基づいて、前記操作情報に含まれる前記識別情報で識別される前記コンテンツの出力属性を決定する決定ステップと、
前記決定ステップにおいて決定された前記出力属性に応じて、前記コンテンツの出力画像を生成する出力画像生成ステップと、
前記出力画像生成ステップにおいて生成された出力画像を表示する表示制御ステップと、
を有することを特徴とする表示制御方法。
【請求項１０】
前記決定ステップでは、前記受信ステップにおいて受信された前記操作情報に含まれる前記操作量に基づいて、前記操作情報に含まれる前記識別情報で識別される前記コンテンツの透過度を出力属性として決定し、
前記出力画像生成ステップでは、前記決定ステップにおいて決定された前記透過度に応じて、前記コンテンツの出力画像を生成することを特徴とする請求項９に記載の表示制御方法。
【請求項１１】
前記決定ステップでは、前記受信ステップにおいて受信された前記操作情報に含まれる前記操作量に基づいて、前記操作情報に含まれる前記識別情報で識別される前記コンテンツの表示サイズを出力属性として決定し、
前記出力画像生成ステップでは、前記決定ステップにおいて決定された前記表示サイズに応じて、前記コンテンツの出力画像を生成することを特徴とする請求項９に記載の表示制御方法。
【請求項１２】
前記決定ステップでは、前記受信ステップにおいて受信された前記操作情報に含まれる前記操作量に基づいて、前記操作情報に含まれる前記識別情報で識別される前記コンテンツの表示位置を出力属性として決定し、
前記出力画像生成ステップでは、前記決定ステップにおいて決定された前記表示位置に応じて、前記コンテンツの出力画像を生成することを特徴とする請求項９に記載の表示制御方法。
【請求項１３】
前記決定ステップにおいて決定された前記出力属性に応じて、前記コンテンツに関する出力音声を生成する出力音声生成ステップと、
前記出力音声生成ステップにおいて生成された音声を出力する音声出力ステップと、
を更に有することを特徴とする請求項９乃至１２の何れか１項に記載の表示制御方法。
【請求項１４】
表示装置への操作指示を行うリモートコントローラが実行する制御方法であって、
ユーザが操作した選択部材に基づいて、前記表示装置において表示されているコンテンツの中から、コンテンツを選択するコンテンツ選択ステップと、
前記選択部材の操作量を検出する操作量検出ステップと、
前記操作量検出ステップにおいて検出された操作量と、前記コンテンツ選択ステップにおいて選択されたコンテンツを識別する識別情報と、を含む操作情報を前記表示装置へ送信する送信ステップと、
を有することを特徴とする制御方法。
【請求項１５】
請求項９乃至１３の何れか１項に記載の表示制御方法の各ステップをコンピュータに実行させるプログラム。
【請求項１６】
請求項１４に記載の制御方法の各ステップをコンピュータに実行させるプログラム。
【手続補正２】
【補正対象書類名】明細書
【補正対象項目名】００２０
【補正方法】変更
【補正の内容】
【００２０】
また、本発明は、表示装置が実行する表示制御方法であって、表示装置への操作指示を行うリモートコントローラから、コンテンツの選択の際の選択部材の操作量と、前記コンテンツを識別する識別情報と、を含む操作情報を受信する受信ステップと、前記受信ステップにおいて受信された前記操作情報に含まれる前記操作量に基づいて、前記操作情報に含まれる前記識別情報で識別される前記コンテンツの出力属性を決定する決定ステップと、前記決定ステップにおいて決定された前記出力属性に応じて、前記コンテンツの出力画像を生成する出力画像生成ステップと、前記出力画像生成ステップにおいて生成された出力画像を表示する表示制御ステップと、を有することを特徴とする。
【手続補正３】
【補正対象書類名】明細書
【補正対象項目名】００２１
【補正方法】変更
【補正の内容】
【００２１】
また、本発明は、表示装置への操作指示を行うリモートコントローラが実行する制御方法であって、ユーザが操作した選択部材に基づいて、前記表示装置において表示されているコンテンツの中から、コンテンツを選択するコンテンツ選択ステップと、前記選択部材の操作量を検出する操作量検出ステップと、前記操作量検出ステップにおいて検出された操作量と、前記コンテンツ選択ステップにおいて選択されたコンテンツを識別する識別情報と、を含む操作情報を前記表示装置へ送信する送信ステップと、を有することを特徴とする。